(57)【要約】【課題】配信スキャナ機能を持つ複写機等において、配信するスキャン画像に含まれる文字・写真等の各画像種に適合した補正・変換処理を施すことにより、利用側で画質の劣化を起こさず、必要なデータを効率よく配信し得、配信機能の利用の最適化を図る。【解決手段】スキャン時の画像処理において像域分離データ（文字・写真、色、網点有無）を取得し、ＨＤＤ１２にスキャン画像に付加して蓄積する。配信要求によりＨＤＤから外部ＰＣに配信する画像に対し、像域分離データを用いて各像域に適合する処理条件を設定（ガンマ補正１４１では文字部の高解像性、写真部の高階調性を保ち、色補正１４２ではＹＭＣＫからＲＧＢ系の画像データへの変換の際に色文字、黒文字、網点絵柄の各部に適したパラメータを用い、階調処理では写真部を２値化する）した補正・変換処理を行い、最適化を図る。【選択図】　　図７
2004112140.tif 000002
【特許請求の範囲】
【請求項１】
原稿から読み取られた画像データと該原稿画像データ内を画像種により分離する像域分離データとを関連付けて格納する手段と、画像データを設定が可変な処理条件に従い処理する画像処理手段と、該画像処理手段により処理した画像データを通信媒体を介して送信する送信手段を有する画像処理装置であって、前記画像処理手段は、前記格納手段に格納した画像データを送信する際に、ガンマ補正、色変換、階調処理の少なくとも一つの処理を、前記像域分離データが示す各像域の画像データに対しそれぞれの画像種に適合する処理条件を設定した処理とし、処理後の画像データを汎用フォーマットに変換することを特徴とする画像処理装置。
【請求項２】
請求項１に記載された画像処理装置において、前記像域分離データに係わる画像種を、文字・写真、色、網点有無の各種別の少なくとも一つとすることを特徴とする画像処理装置。
【請求項３】
請求項１又は２に記載された画像処理装置において、前記画像処理手段は、文字・写真の像域分離データに従って、各々の像域に適合するガンマ補正を行うことを特徴とする画像処理装置。
【請求項４】
請求項１乃至３のいずれかに記載された画像処理装置において、前記画像処理手段は、文字・写真、色、網点有無の像域分離データに従って、各々の像域に適合する色補正を行うことを特徴とする画像処理装置。
【請求項５】
請求項１乃至４のいずれかに記載された画像処理装置において、前記画像処理手段は、文字・写真の像域分離データに従って、各々の像域に適合する階調処理を行うことを特徴とする画像処理装置。
【請求項６】
読み取った原稿画像データを格納する前記記憶手段に記憶された画像データに基づいて記録媒体に複写画像を形成する手段を備えることにより、複写機能を複合させたことを特徴とする請求項１乃至５のいずれかに記載された画像処理装置。
【発明の詳細な説明】
【０００１】
【発明の属する技術分野】
本発明は、ネットワーク接続したデジタルカラー複写機等のように、カラー原稿の読み取りが可能な手段（スキャナ）を持ち、その読み取り画像データをＰＣ等の利用端末に配信する機能を持つ画像処理装置（システム）に関し、特定すると、原稿画像が文字・写真のような異なる画像種を１画像に像域を分けて持つ画像である場合に、各々の像域に適合する処理条件を設定することにより、画質の劣化を起こさずに、必要なデータを効率よく配信し得る画像データの処理を可能にする手段を備えた前記画像処理装置に関する。
【０００２】
【従来の技術】
近年、複写機においてはネットワーク化が進み、複写機が持つ機能をネットワーク接続した他の端末から利用することが可能になってきている。例えば、デジタルカラー複写機にネットワーク接続されたコンピュータ等の他の利用端末へ、複写機のスキャナ部で読み取った画像データを配信する機能が提案され、徐々に活用され始めてきている。
この機能は、一般に配信スキャナ機能と呼ばれている。この機能を使用する場合に、複写機側或いは配信先であるコンピュータ端末から各種の読み取り条件を設定し、設定された読み取り条件に従いスキャナを動作させ、読み取った原稿画像データに所定の処理を施し、配信先に転送するという動作を行う。
この配信スキャナ機能を利用する際に、読み取り条件の設定に従って行われる画像読み取り・画像処理等に関する従来例として、下記特許文献１を示すことができる。
【０００３】
【特許文献１】
特開２０００−３３３０２６号公報
【０００４】
特開２０００−３３３０２６号には、複写機等の画像形成装置において、プリント・サーバやスキャン画像のサーバとして、機能の拡張を図るために、汎用コンピュータシステムのアーキテクチャをベースにした拡張ボックスを装備させたシステムが提案されている。ここでは、スキャンした画像を拡張ボックス内のハードディスク装置に蓄積し、そこに蓄積された画像ファイルをネットワークに接続されたコンピュータシステムで共有し、その利用を各サーバ機能により実現できることが示されている。
また、特許文献１には、スキャン・ボックス機能（スキャン画像をクライアントコンピュータへ配信する機能の一つ）を利用する場合のスキャン画像の処理について示されている。ここでは、操作入力により設定された処理条件に従って、原稿の読み取り、スキャン原稿画像の処理を行うとしているが、スキャン・ボックス機能は、印刷出力を必ずしも予定していない場合に用いることから、印刷出力に必要になるＹＭＣＫ系のデータフォーマットを生成せずに、つまり、スキャン画像のＲＧＢ系からＹＭＣＫ系への色変換や階調補正などは省略し、処理後のＲＧＢ系データをスキャン・ボックスに蓄積している。その後、ネットワークのクライアントコンピュータは、スキャン・ボックスから、画像データを蓄積時のＲＧＢ系のデータのまま取り出し、自身が持つ保存先であるローカル・ディスク等に転送している。クライアントコンピュータでは、転送されてきたＲＧＢ系のデータに基づいて、モニタ・ディスプレイでスキャン画像を閲覧することができる。
【０００５】
【発明が解決しようとする課題】
このように、従来の配信スキャナ機能では、上記特許文献１にも見られるように、配信先がコンピュータ端末である場合を考慮して、その利用が可能なＲＧＢ系のデータ形式で画像データを配信している。
ところで、配信スキャナ機能を利用する場合、上記特許文献１におけるスキャン・ボックス機能のようにＹＭＣＫ系への変換を省略しＲＧＢ系で画像蓄積する方法によらずに、複写機側の利用を優先して、スキャン画像を先ず一旦ＹＭＣＫ系の画像データで蓄積する方法を採用する場合も多い（上記特許文献１のプリント・サーバ機能を開示する実施例にも示されている）。
このＹＭＣＫ系の画像データで蓄積する方法を採用する場合に、配信スキャナ機能を利用しようとする際には、一般的には、ＹＭＣＫ系の画像フォーマットから、ＲＧＢ系の画像フォーマットに変換してネットワークへの配信を行っている。
しかしながら、ＲＧＢ系に変換する方式では、ＣＭＹＫ画像の全面にわたり一括してＲＧＢ画像フォーマットへの変換が行なわれている。つまり、画像内に含まれる画像種を考慮せずに一定の処理条件を全面に適用して補正・変換等の処理を行っている。従って、画像が文字・写真、色、網点有無の画像種を異にする画像部分を持つ画像であっても、その違いに一切関係なく同じフォーマット変換が行なわれる為、フォーマット変換後の画像をクライアント側で画像閲覧したときの画質が悪くなる場合がある、という不具合が生じていた。また、画像種に適合した処理条件を用いないために、無駄なデータを配信し、システムの効率を低下させる不具合が生じる場合があった。
本発明は、上述の従来技術における問題点に鑑みてなされたもので、その目的は、カラー原稿の読み取りが可能な手段（スキャナ）を持ち、読み取った画像データを一旦格納した後、コンピュータ等の利用端末に配信する機能を持つ画像処理装置において、画像内に複数の画像種が含まれる画像を配信する際に、配信するスキャン画像に対し、画像内に含まれる各画像種に適合した補正・変換処理を施すことにより、利用側で画質の劣化を起こさず、必要なデータを効率よく配信し得、配信機能の利用の最適化を可能にする前記画像処理装置を提供することにある。
【０００６】
【課題を解決するための手段】
請求項１の発明は、原稿から読み取られた画像データと該原稿画像データ内を画像種により分離する像域分離データとを関連付けて格納する手段と、画像データを設定が可変な処理条件に従い処理する画像処理手段と、該画像処理手段により処理した画像データを通信媒体を介して送信する送信手段を有する画像処理装置であって、前記画像処理手段は、前記格納手段に格納した画像データを送信する際に、ガンマ補正、色変換、階調処理の少なくとも一つの処理を、前記像域分離データが示す各像域の画像データに対しそれぞれの画像種に適合する処理条件を設定した処理とし、処理後の画像データを汎用フォーマットに変換することを特徴とする画像処理装置である。
【０００７】
請求項２の発明は、請求項１に記載された画像処理装置において、前記像域分離データに係わる画像種を、文字・写真、色、網点有無の各種別の少なくとも一つとすることを特徴とするものである。
【０００８】
請求項３の発明は、請求項１又は２に記載された画像処理装置において、前記画像処理手段は、文字・写真の像域分離データに従って、各々の像域に適合するガンマ補正を行うことを特徴とするものである。
【０００９】
請求項４の発明は、請求項１乃至３のいずれかに記載された画像処理装置において、前記画像処理手段は、文字・写真、色、網点有無の像域分離データに従って、各々の像域に適合する色補正を行うことを特徴とするものである。
【００１０】
請求項５の発明は、請求項１乃至４のいずれかに記載された画像処理装置において、前記画像処理手段は、文字・写真の像域分離データに従って、各々の像域に適合する階調処理を行うことを特徴とするものである。
【００１１】
請求項６の発明は、読み取った原稿画像データを格納する前記記憶手段に記憶された画像データに基づいて記録媒体に複写画像を形成する手段を備えることにより、複写機能を複合させたことを特徴とする請求項１乃至５のいずれかに記載された画像処理装置である。
【００１２】
【発明の実施の形態】
本発明の画像処理装置を添付する図面とともに示す以下の実施形態に基づき説明する。以下には、本発明の画像処理装置に係わる実施形態として、読み取り原稿画像を配信する機能を備えたデジタルカラー複写機へ実施した例を示す。
図１は、本実施形態に係わるデジタルカラー複写機のシステム構成を概略的に示すブロック図である。
図１に示すデジタルカラー複写機としての画像処理システム１０は、コピー機能と配信スキャナ機能を備えるもので、コピー機能を実現する要素として、同図に示すように、コピー部１３、システム全体の制御を司るシステム（スキャナ／プリンタ）コントローラ１１、スキャン画像を格納・蓄積するＨＤＤ（ハード・ディスク・ドライブ）１２を有する。コピー部１３には、原稿をカラー画像データとして読み取るスキャナ装置１６、スキャン画像に対し利用側で用いる形態の画像データに処理する画像処理部１７、画像データに基づいて記録媒体に複写画像を形成しコピー画像を出力するプリンタ装置１８よりなるコピー・エンジン部１５と、コピー・エンジン部１５を制御するコピー・コントローラ１９と、ユーザがコピーモード等の処理条件の設定や指令操作の入力を行う操作パネル２０を有する。
配信スキャナ機能を実現する要素として、外部Ｉ／Ｆ用画像処理部１４、外部Ｉ／Ｆ１０ｆと、さらにコピー機能に共通に用いる要素として、システム（スキャナ／プリンタ）コントローラ１１、ＨＤＤ１２、操作パネル２０を有する。
【００１３】
次に、上記した要素により構成されるデジタルカラー複写機の機能を動作とともに、より詳細に説明する。
先ず、コピー機能使用時の処理に関する動作を説明する。
スキャナ装置１６は、ＣＣＤ（光電変換素子）を用いた原稿走査ユニットにより、原稿をスキャニングすることで、Ｒ，Ｇ，Ｂ（Ｒ：ＲＥＤ，Ｇ：ＧＲＥＥＮ，Ｂ：ＢＬＵＥ）の３色よりなる色成分のデジタル画像データを生成する。
スキャナ装置１６により生成されたＲＧＢ画像データは、画像処理部１７に入力される。ここでは、ＲＧＢ画像データに後段のプリンタ装置１８でコピー画像を出力するために用いる画像データへ変換・補正等の処理を施す。
図２は、画像処理部１７内の処理部の構成をより詳細に示す。
図２に示すように、画像処理部１７は、スキャナ装置１６から出力されたＲＧＢ画像データに対し、文字・写真判定、色判定、網点判定を行い、その像域を示す像域分離データを生成する像域分離部１７１と、ＲＧＢ画像データの平滑化、強調を行なうフィルタ部１７２と、ＲＧＢ画像データをＣ，Ｍ，Ｙ，Ｋ（Ｃ：Ｃｙａｎ，Ｍ：Ｍａｇｅｎｔａ，Ｙ：Ｙｅｌｌｏｗ，Ｋ：Ｂｌａｃｋ）の４色成分の画像データに変換する色補正部１７３と、プリンタ装置の特性に合わせた階調処理を行なう階調処理部１７４からなる。
【００１４】
像域分離部１７１は、処理の対象になる画像が１画像中に文字・写真、色、網点・非網点という異なる画像種を持つ画像である場合に、それぞれの画像種の像域を判定し、像域分離データとして出力する。本実施形態では、像域分離部１７１内を図３に示すように、色判定部１７１ｃ、網点検出部１７１ｍ、エッヂ分離部１７１ｅ、総合判定部１７１ｔの各処理部により構成する。
色判定部１７１ｃは、注目画素の有彩、無彩を判定するものであり、この機能を持つ既知の手段を適用することにより、実施することができる（例えば、特開２０００−１２５１４０（段落［０１２６］〜［０１４５］、図１６〜図１８に関する記載、参照）。
網点検出部１７１ｍは、注目画素が網点か、非網点かを判定するものであり、また、エッヂ分離部１７１ｅは、注目画素がエッヂか非エッヂかを判定するものである。網点検出、エッヂ分離、いずれも、この機能を持つ既知の手段を適用することにより、実施することができる（例えば、特開平１０−１０８０１２（段落［００１１］〜［００１７］、図２〜図５に関する記載、参照）。
総合判定部１７１ｔでは、網点検出部１７１ｍの判定結果（１：網点、０：非網点）と、エッヂ分離部１７１ｅの判定結果（１：エッヂ、０：非エッヂ）を受けて、図４に示すようにその判定を行なう。つまり、エッジ分離（１）かつ網点検出（０）であれば、文字領域信号を発生し、エッヂ分離（０）であれば、網点検出の結果に関係なく写真領域信号を発生する。なお、上記で“写真”領域と表現しているが、実体は上記した条件を満たす領域を指し、これを絵柄領域といっても良いが、ここでは“写真”領域と表現する。
このようにして、像域分離部１７１は、像域分離データとして文字・写真判定信号、色判定信号、網点信号を発生する。
【００１５】
フィルタ部１７２は、スキャン画像に対し像域分離部１７１が出力する文字・写真判定信号を用いて、注目画素が文字領域に属する画素であれば、強調処理を施し、写真領域に属する画素であれば、スムージング処理を施して、次の色補正部１７３にＲＧＢ信号を出力する。
色補正部１７３では、受け取ったＲＧＢ信号をＣＭＹＫ信号に変換し、変換後のＣＭＹＫ信号をシステム・コントローラ１１の操作により一旦ＨＤＤ１２に蓄積する。これは、スキャン画像を用いてコピーのプリントアウトをする時に、紙詰まりを発生し印字を正常に終了しなかった場合においても、再びスキャナで原稿を読み直すことを避けるためであったり、ソート処理を行うためである。
また、ＨＤＤ１２へのスキャン画像データの蓄積時には、蓄積データとして、色補正部１７３からの出力であるＣＭＹＫ信号と、像域分離部１７１からの像域分離データ（文字・写真判定信号、色判定信号、網点検出信号）を記録する。記録された像域分離データは、後述する配信スキャナ機能使用時の動作に用いる。なお、ＨＤＤ１２へ蓄積するスキャン画像データ（ＣＭＹＫ信号）に対し、データ圧縮を行なってデータ量の削減を図ってもよい。
コピー動作としては、色補正部１７３からのＣＭＹＫ信号出力を直接、階調処理部１７４に入力する場合もあるが、上記のように一旦ＨＤＤ１２へ蓄積する場合には、ＨＤＤ１２から取り出して、階調処理部１７４に入力する。階調処理部１７４では、入力ＣＭＹＫ信号に対してプリンタ装置の特性に合った階調処理（γ補正、ディザパターンへの変換等）を施す。処理後のＣＭＹＫ信号を受け取るプリンタ装置１８は、このＣＭＹＫ信号に基づいて記録媒体に複写画像を形成しコピー画像を出力する。
【００１６】
次に、配信スキャナ機能使用時の処理に関する動作を、配信時に用いる手段に関する補足をして、説明する。
本発明は、スキャン画像（ＣＭＹＫ信号）を一旦記憶手段（ＨＤＤ）に格納した後、配信スキャナ機能の使用時に、配信するスキャン画像に対し、画像内に含まれる各画像種に適合した補正・変換処理を施すことにより、ＰＣ・ＷＳ・サーバなど利用側の各端末で画質の劣化を起こさず、必要なデータを効率よく配信し得、配信機能の利用の最適化を図ることをその目的としている。
このために、本実施形態では、ＨＤＤ１２へ蓄積したＣＭＹＫ信号のスキャン画像データに対し配信時に、外部Ｉ／Ｆ用画像処理部１４により、上記の像域分離部１７１で生成され、ＨＤＤ１２に画像データとともに記録された像域分離データ（文字・写真判定信号、色判定信号、網点検出信号）を利用して補正・変換処理を行う。
補正・変換処理の内容は、
（１）　像域の文字部分の解像性の重視と、写真部分の高階調性を両立させる。
（２）　色文字部分の画質向上を図る。
（３）　網点絵柄部の画質向上を図る。
という点にあり、このための手段を用意する。
図５は、配信スキャナ機能使用時の処理に係わる部分のシステム構成を詳細に示した本機（図１参照）のブロック図である。
図５に示すように、外部Ｉ／Ｆ用画像処理部１４は、ＣＭＹＫ画像データのガンマ補正を行なうガンマ補正部１４１、ＣＭＹＫ系からＲＧＢ系へ色補正を行なう色補正部１４２、色補正後のＲＧＢ画像データをＪＰＥＧやＢＭＰ形式への汎用フォーマットへの変換等を行なう外部出力用処理部１４７からなる。
【００１７】
次いで、図５を参照して、配信までの画像処理の流れを説明する。
本実施形態では、外部Ｉ／Ｆ１０ｆを介してＰＣ・ＷＳ・サーバーなどの各端末からの配信要求の指令により配信機能を起動させ、ＨＤＤ１２に蓄積されている画像データから指定されたファイルを取り出し、その画像データに必要な処理を施した後、配信要求をした端末に配信する、という手順により動作する。ただし、例示した形態に限らず、スキャナ装置１６で原稿を読み取る動作から開始するような手順で行うような対応にしても良い。また、本機の操作パネル２０からの入力操作により発せられる配信要求の指令により、例示すると同様の配信スキャナ機能の動作を行うことを可能にしても良い。
外部端末からの配信要求の指令に従って、画像データに対して配信処理が指示されると、システムコントローラ１１は、ＨＤＤ１２に格納された画像データ（圧縮画像データであれば、それを伸長し復元した画像データ）と像域分離データ（文字・写真判定信号、色判定信号、網点検出信号）を取り出し、これらのデータを配信画像データとしての画像処理を施すために、外部Ｉ／Ｆ用の画像処理部１４に入力する。
【００１８】
まず、最初にガンマ補正部１４１にＣＭＹＫの画像データと、像域分離データである文字・写真判定信号が入力されると、ガンマ補正部１４１では、文字・写真判定信号によってガンマ補正における処理条件の設定を切り替える。例えば、文字判定信号を有する文字部分の像域においては、図６（ａ）ような、ほぼＳ字状のガンマカーブを用いて補正を行ない、黒を強調することにより、高解像性を得るようにする。また、写真判定信号を有する写真部分の像域においては、図６（ｂ）のような、リニアなガンマカーブを用いることにより、高階調性を保つ。このように、文字部と写真部の各像域に適合した処理条件に切り替えることにより、画像全体の高画質を維持することを可能にする。
ガンマ補正されたＣＭＹＫ画像データは、次に色補正部１４２に入力される。この際に、像域分離データである文字・写真判定信号、色判定信号、網点検出信号も同時に色補正部１４２に入力する。
色補正部１４２では、像域分離データの３種の信号によって、入力されたＣＭＹＫ系の画像データから配信出力するＲＧＢ系の画像データへ変換する際の色変換パラメータの設定を切り替える。例えば、３種の像域分離データから図７の表に示すように色文字、黒文字、網点絵柄といった３つの画像データの種別を判定し、この３つの判定種別にしたがって、色補正のパラメータを切り替える。
つまり、色文字と判定された（エッジ分離（１）かつ網点検出（０）かつ色判定（１））画素においては、彩度が高くなるような設定でＲＧＢ画像データへの変換を行う。
黒文字と判定された（エッジ分離（１）かつ網点検出（０）かつ色判定（０））画素においては、ＲＧＢの各値が等しくなるような設定でＲＧＢ画像データへの変換を行う。網点絵柄と判定された（網点検出（１）であれば、エッジ分離と色判定の結果は関係なし）画素においては、網点絵柄部分に適したパラメータの設定でＲＧＢ画像データへの変換を行う。
このように、文字部と写真部で処理を異ならせ、さらに文字部においては色文字と黒文字の区別がつきやすいＲＧＢ画像データに変換され、また網点絵柄部分においても最適設定で変換が行われて、高画質を保った形態の画像データとして外部出力用処理部１４７に出力する。
【００１９】
外部出力用処理部１４７は、前段で色補正により変換されたＲＧＢ画像データ入力をさらに外部Ｉ／Ｆ１０ｆに適合する画像データに変換する。そのために、図５に示すように、階調処理部１４３〜１４５と画像フォーマット変換部１４６を有する。この外部出力用処理部１４７の処理を経て、外部Ｉ／Ｆ１０ｆへ出力する画像データの形態は、ＰＣ・ＷＳ・サーバーなどの取り込み側において任意に指定でき、例えば、ＴＩＦＦやＪＰＥＧなどの汎用の画像フォーマットに変換するのが一般的である。指定された形態に従い変換されたデータが外部Ｉ／Ｆ１０ｆに接続されている各端末へ配信されることになる。
ここで、スキャン画像の配信に関連した外部出力用処理部１４７の機能について詳細を説明する。
外部出力用処理部１４７には、入力配信画像データに対し階調処理を行う手段として、単純２値化処理１４３、２値ディザ１４４、多値ディザ１４５といった処理部を用意し、各処理部へ画像データとともに像域分離データである文字・写真判定信号を入力する。
ここで行う階調処理の一つは、例えば、ユーザーが、ＨＤＤ１２に蓄積された画像データを端末側でＯＣＲ（Ｏｐｔｉｃａｌ　Ｃｈａｒａｃｔｅｒ　Ｒｅａｄｅｒ）などを用いて文字認識を行いたい場合において都合の良いデータ形態である２値化データへの変換処理である。
ここでは、色補正部１４２の処理後のデータに対し、そのデータに関連付けられている文字・写真判定信号を用いることにより、文字の像域の画像データについては、２値化の閾値を低く設定して、単純２値化処理部１４３により２値化処理を施す。このように文字の像域で２値化の閾値を低く設定することで、低濃度の文字であっても文字部の再現性をよくすることができ、ＯＣＲの認識率を上げることができる。また、多値データを２値化して扱うことによりデータ量を削減することができ、画像データの圧縮率も良くなり、データ量をさらに削減することができ、データ転送時間や転送先のメモリの使用効率を低下させる。また、中間調処理が無いのでハードとしても小さくすることができる。
また、２値ディザ処理１４４や多値ディザ１４５の各階調処理部を用いる場合、色補正部１４２の処理後のデータに対し、そのデータに関連付けられている文字・写真判定信号を用いて、文字の像域の画像データと、写真の像域の画像データにおいて、ディザパターンを変更してディザ処理をする。即ち、画像データの文字像域に２値ディザ処理１４４を、また、写真像域に多値ディザ１４５を適用することにより、文字部分の解像力が低下せず、写真部分の階調性が維持される。
上記の階調処理を行った後、画像フォーマット変換部１４６によってＴＩＦＦやＪＰＥＧといった汎用フォーマットに変換するので、配信先の各端末でスキャン画像の閲覧をしたり、編集を行ったりすることが容易になる。
【００２０】
【発明の効果】
（１）　請求項１，２の発明に対応する効果
蓄積された原稿画像の配信の際に、配信画像に係わる像域分離データが示す各像域の画像データに対してそれぞれの画像種に適合する処理条件を設定して、ガンマ補正、色変換、階調処理の少なくとも一つを行うようにしたことにより、配信先で利用する画像に画質の劣化が生じることなく、配信機能の利用の最適化を図ることが可能になる。また、像域分離データに係わる画像種を、文字・写真、色、網点有無の各種別の少なくとも一つとすることにより、請求項１の発明をより有効な形態で実施化することが可能になる。
（２）　請求項３の発明に対応する効果
文字・写真の像域分離データに従って、各々の像域に適合するガンマ補正を行うようにしたことにより、文字部分の像域において高解像性を得、写真部分の像域において高階調性を保つようにし、画像全体の高画質を維持することを可能にする。
（３）　請求項４の発明に対応する効果
文字・写真、色、網点有無の像域分離データに従って、各々の像域に適合する色補正を行うようにしたことにより、色文字部分、黒文字部分、網点絵柄部分のそれぞれにおいて高画質を維持することが可能になる。
（４）　請求項５の発明に対応する効果
文字・写真の像域分離データに従って、各々の像域に適合する階調処理を行うようにしたことにより、文字部分の像域において再現性を良い処理を適用して、データ量を削減することが可能になり、また、文字の像域の画像データと、写真の像域の画像データにおいて、それぞれに適合するディザパターンを用いて、文字部分の解像力を低下させず、写真部分の階調性の維持を可能にする。
（５）　請求項６の発明に対応する効果
複写機能を複合させた画像処理装置において、上記（１）〜（４）の効果を実現することにより、画像処理装置の性能を向上させることが可能になる。
【図面の簡単な説明】
【図１】本発明の実施形態に係わるデジタルカラー複写機のシステム構成を概略的に示すブロック図である。
【図２】図１の画像処理部の内部構成を示す。
【図３】図２の像域分離部の内部構成を示す。
【図４】像域分離部における画像種（文字・絵柄）の像域判定規則を示す。
【図５】配信スキャナ機能使用時の処理に係わる部分のシステム構成を詳細に示した本機（図１参照）のブロック図である。
【図６】図５のガンマ補正処理部に用いる補正値を示す。
【図７】外部Ｉ／Ｆ用画像処理部の色補正に用いる画像種の像域判定規則を示す。
【符号の説明】
１０…画像処理システム、　　　１１…スキャナ／プリンタ・コントローラ、
１２…ＨＤＤ、　　　　　　　　　１３…コピー部、
１４…外部Ｉ／Ｆ用画像処理部、　　１５…コピー・エンジン部、
１６…スキャナ装置、　　　　　１７…画像処理部、
１８…プリンタ装置、　　　　　１９…コピー・コントローラ、
２０…操作パネル、　　　　　１０ｆ…外部Ｉ／Ｆ、
１４１…ガンマ補正部、　　　　１４２…色補正部、
１４３…単純２値化処理部、　　　１４４…２値ディザ処理部、
１４５…多値ディザ処理部、　　１４６…画像フォーマット変換部、
１７１…画像処理部、　　　　　１７２…フィルタ処理部、
１７３…色補正部、　　　　　　１７４…階調処理部。
【図１】
2004112140.tif 000003
【図２】
2004112140.tif 000004
【図３】
2004112140.tif 000005
【図４】
2004112140.tif 000006
【図５】
2004112140.tif 000007
【図６】
2004112140.tif 000008
【図７】
2004112140.tif 000009